(57)【要約】【課題】光学窓部材を手で覆い隠すことを防止して撮影時のホールド性を確保しても、部品数も少なく小型で外観品位の優れた外装カバー、及びその外装カバーを備える光学機器を提供することを目的とする。【解決手段】携帯する光学機器の本体の外側の一部を覆うカバー部材１と、前記カバー部材１の外部に複数の光学部材２の光学範囲を露呈して配列する光学範囲配列穴３と、前記光学範囲配列穴３に配列する少なくとも隣接する一方と他方の光学部材２の光学範囲を透明部材４０で覆う一体形状の光学窓部材４を備える。【選択図】図１
2008233395.tif 000002
【特許請求の範囲】
【請求項１】
被写体を撮像する光学機器の外面を覆う外装カバーにおいて、光学機器の本体の外面を覆うカバー部材と、前記カバー部材に複数の光学部材の有効光学系範囲を遮らないように配列した有効光学系範囲配列穴と、前記有効光学系範囲配列穴に配列する光学部材の有効光学系範囲を透明部材で覆う一体形状の光学窓部材を備えることを特徴とする外装カバー。
【請求項２】
請求項１に記載の外装カバーにおいて、前記光学部材は、ストロボ発光関連部材であることを特徴とする外装カバー。
【請求項３】
請求項１に記載の外装カバーにおいて、前記光学部材は、ストロボ補助発光部材であることを特徴とする外装カバー。
【請求項４】
請求項１に記載の外装カバーにおいて、前記光学部材は、オートフォーカス部材であることを特徴とする外装カバー。
【請求項５】
請求項１に記載の外装カバーにおいて、前記光学部材は、ファインダ部材であることを特徴とする外装カバー。
【請求項６】
請求項１乃至５の何れか一項に記載の外装カバーにおいて、前記有効光学系範囲配列穴は、前記カバー部材の被写体に対向する前カバーに備えることを特徴とする外装カバー。
【請求項７】
請求項１乃至６の何れか一項に記載の外装カバーにおいて、前記有効光学系範囲配列穴は、グリップ部の上部に備えることを特徴とする外装カバー。
【請求項８】
請求項１乃至３の何れか一項に記載の外装カバーにおいて、前記有効光学系範囲配列穴は、前記ストロボ発光関連部材の全面を覆うプロテクタを配置するプロテクタ配置部を備えることを特徴とする外装カバー。
【請求項９】
請求項８に記載の外装カバーにおいて、前記プロテクタ配置部は、前記有効光学系範囲配列穴の撮像レンズユニット配置部の光軸からもっとも離れた位置に設けられていることを特徴とする外装カバー。
【請求項１０】
請求項８または９に記載の外装カバーにおいて、前記プロテクタは、前記有効光学系範囲配列穴の前面に突出する突出部を備えることを特徴とする外装カバー。
【請求項１１】
請求項１乃至１０の何れか一項に記載の外装カバーにおいて、前記有効光学系範囲配列穴は、前記ストロボ補助発光部材の補助光用窓を配置する補助光用窓配置部を備えることを特徴とする外装カバー。
【請求項１２】
請求項１乃至１１の何れか一項に記載の外装カバーにおいて、前記有効光学系範囲配列穴は、前記オートフォーカス部材のオートフォーカス用窓を配置するオートフォーカス用窓配置部を備えることを特徴とする外装カバー。
【請求項１３】
請求項１乃至１２の何れか一項に記載の外装カバーにおいて、前記有効光学系範囲配列穴は、前記ファインダ部材のファインダ用窓を配置するファインダ用窓配置部を備えることを特徴とする外装カバー。
【請求項１４】
請求項１乃至１３の何れか一項に記載の外装カバーにおいて、前記光学窓部材は、複数の部材を備えることを特徴とする外装カバー。
【請求項１５】
請求項１乃至１４の何れか一項に記載の外装カバーにおいて、前記光学窓部材は、不透明部材を備えることを特徴とする外装カバー。
【請求項１６】
請求項１乃至１５の何れか一項に記載の外装カバーにおいて、前記光学窓部材は、透明なガラス材を備えることを特徴とする外装カバー。
【請求項１７】
請求項１乃至１５の何れか一項に記載の外装カバーにおいて、前記光学窓部材は、透明な合成樹脂材を備えることを特徴とする外装カバー。
【請求項１８】
請求項１乃至１７の何れか一項に記載の外装カバーにおいて、前記光学窓部材は、裏面に平面形状を備えることを特徴とする外装カバー。
【請求項１９】
請求項１乃至１８の何れか一項に記載の外装カバーにおいて、前記光学窓部材は、シート材を備えることを特徴とする外装カバー。
【請求項２０】
携帯して被写体を撮像する光学機器において、被写体を撮像する撮像レンズユニットを保持する光学機器の本体と、前記光学機器の本体の外側を覆う請求項１乃至１９の何れか一項に記載の前記外装カバーを備えることを特徴とする光学機器。
【請求項２１】
請求項２０に記載の光学機器において、前記光学機器の本体は、被写体を撮影する撮像装置の本体を備えることを特徴とする光学機器。
【請求項２２】
請求項２０または２１に記載の光学機器において、前記光学機器の本体は、ストロボ発光部材のプロテクタを本体電池室ユニットに一体的に形成して備えることを特徴とする光学機器。
【発明の詳細な説明】
【技術分野】
【０００１】
本発明は、外装カバー、及びその外装カバーを備える光学機器に関する。詳しくは、携帯して被写体を撮像する光学機器の外側を覆う外装カバー、及びその外装カバーを備えて携帯して被写体を撮像するコンパクトカメラ、一眼レフカメラ、高画素数のＣＣＤを使用する電子カメラあるいはビデオカメラ等の撮像装置である光学機器に関する。
【背景技術】
【０００２】
近年の小型化された撮像装置であるカメラ等においては、製品の美観を担保するための外装カバーを備えているのが一般的である。そしてその外装カバーには複数の光学窓が配置されている。斯かる複数の光学窓のうち、外装カバーのグリップ部の近傍に配置された光学窓は、撮影者の手で覆い隠される危険性があり、実際時として撮影者の手で覆い隠される不具合が発生しやすくなっている。
例えば、これがストロボ発光部の前面を覆うプロテクタであった場合、撮影した写真が暗くなる等の失敗写真となってしまう。
このような不具合の発生を回避する為に、ストロボ遮蔽部材に突出部または指規制部を設ける事でストロボ発光部への指の掛かりを防止することが提案されている（特許文献１、２参照）。
【０００３】
図７は、前カバー１０１１、中間カバー１０１２、後カバー１０１３という従来の３種のカバーより成る外装カバー１０００を備えるカメラ１１００の外観の斜視図である。
図８は、図７に示した前カバー１０１１の基本構成の正面図である。
図９は、従来の前カバー１０１１を備えるカメラ１１００の外観の展開斜視図である。
図７乃至図９において、従来のカメラ１１００の、後に詳述する本体１１０２（図７、９参照）の外側を覆う外装カバー１０００（図７参照）は、前カバー１０１１と中間カバー１０１２と後カバー１０１３とから構成されている。前カバー１０１１には、レンズ１１０１を取り付けるレンズ取り付け穴１１０５の他に、オートフォーカス部材１０２２を取り付けるオートフォーカス用窓１０２６（図９参照）、ストロボ発光部材１０２０を取り付けるプロテクタ１０２４（図９参照）が形成されている。
【０００４】
中間カバー１０１２には、レリーズボタン１１０３、電源ボタン１１０４が形成されている（図７参照）。そして、オートフォーカス部材１０２２のオートフォーカス用窓１０２６、ストロボ発光部材１０２０のプロテクタ１０２４（図９参照）は透明材料のプラスチックで形成されている。尚、プロテクタ１０２４の大きさが、必要な有効光学系範囲よりも大きい場合は、プロテクタ１０２４の有効光学系以外の外観から不必要な内蔵部が見えてしまう危険性があるので留意する必要がある。
加えて、前カバー１０１１に形成されるグリップ部１０１４の近傍に配置されるプロテクタ１０２４等の光学窓部材を大きくし前面から突出させたりすることで撮影時のホールド性を図る提案がなされている。
これらの提案では、光学部材の光学窓が撮影者の手で覆い隠される不具合を、指規制部や光学窓部材等を大きくして前面から突出させたりする等で解決を図るようになっている。
然し、撮影時のホールド性を確保することができたり、光学窓が撮影者の手で覆い隠される不具合を解決できたりしても、光学窓部材等の大きさが必要な有効光学系範囲よりも大きくなって、部品数も多く大型化するだけでなく、光学窓から不必要な部材が見えてしまい、外観品位も損なわれる不具合がある。
【特許文献１】特許第３１２１０８８号
【特許文献２】特許第３３８７９０１号
【発明の開示】
【発明が解決しようとする課題】
【０００５】
従来の外装カバー、及びその外装カバーを備える光学機器においては、撮影時のホールド性を確保することが出来ても、光学窓部材等の大きさが必要な有効光学系範囲よりも大きくなる。そして、部品数も多く大型化するだけでなく、光学窓から不必要な部材が見えてしまい、外観品位も損なわれると言う問題が発生していた。
そこで本発明の課題は、このような問題点を解決するものである。即ち、光学窓部材を手で覆い隠すことを防止したり、撮影時のホールド性を確保したとしても、部品数が少なくすみ小型で外観品位の優れた外装カバー、及びその外装カバーを備える光学機器を提供することを目的とする。
【課題を解決するための手段】
【０００６】
上記目的を達成するために、請求項１に記載の本発明は、被写体を撮像する光学機器の外面を覆う外装カバーにおいて、光学機器の本体の外面を覆うカバー部材と、前記カバー部材に複数の光学部材の有効光学系範囲を遮らないように配列した有効光学系範囲配列穴と、前記有効光学系範囲配列穴に配列する光学部材の有効光学系範囲を透明部材で覆う一体形状の光学窓部材を備える外装カバーを特徴とする。
請求項２に記載の発明は、請求項１に記載の外装カバーにおいて、前記光学部材は、ストロボ発光関連部材である外装カバーを特徴とする。
請求項３に記載の発明は、請求項１に記載の外装カバーにおいて、前記光学部材は、ストロボ補助発光部材である外装カバーを特徴とする。
請求項４に記載の発明は、請求項１に記載の外装カバーにおいて、前記光学部材は、オートフォーカス部材である外装カバーを特徴とする。
請求項５に記載の発明は、請求項１に記載の外装カバーにおいて、前記光学部材は、ファインダ部材である外装カバーを特徴とする。
【０００７】
請求項６に記載の発明は、請求項１乃至５の何れか一項に記載の外装カバーにおいて、前記有効光学系範囲配列穴は、前記カバー部材の被写体に対向する前カバーに備える外装カバーを特徴とする。
請求項７に記載の発明は、請求項１乃至６の何れか一項に記載の外装カバーにおいて、前記有効光学系範囲配列穴は、グリップ部の上部に備える外装カバーを特徴とする。
請求項８に記載の発明は、請求項１乃至３の何れか一項に記載の外装カバーにおいて、前記有効光学系範囲配列穴は、前記ストロボ発光関連部材の全面を覆うプロテクタを配置するプロテクタ配置部を備える外装カバーを特徴とする
請求項９に記載の発明は、請求項８に記載の外装カバーにおいて、前記プロテクタ配置部は、前記有効光学系範囲配列穴の撮像レンズユニット配置部の光軸からもっとも離れた位置に設けられている外装カバーを特徴とする。
【０００８】
請求項１０に記載の発明は、請求項８または９に記載の外装カバーにおいて、前記プロテクタは、前記有効光学系範囲配列穴の前面に突出する突出部を備える外装カバーを特徴とする。
請求項１１に記載の発明は、請求項１乃至１０の何れか一項に記載の外装カバーにおいて、前記有効光学系範囲配列穴は、前記ストロボ補助発光部材の補助光用窓を配置する補助光用窓配置部を備える外装カバーを特徴とする。
請求項１２に記載の発明は、請求項１乃至１１の何れか一項に記載の外装カバーにおいて、前記有効光学系範囲配列穴は、前記オートフォーカス部材のオートフォーカス用窓を配置するオートフォーカス用窓配置部を備える外装カバーを特徴とする。
請求項１３に記載の発明は、請求項１乃至１２の何れか一項に記載の外装カバーにおいて、前記有効光学系範囲配列穴は、前記ファインダ部材のファインダ用窓を配置するファインダ用窓配置部を備える外装カバーを特徴とする。
請求項１４に記載の発明は、請求項１乃至１３の何れか一項に記載の外装カバーにおいて、前記光学窓部材は、複数の部材を備える外装カバーを特徴とする。
請求項１５に記載の発明は、請求項１乃至１４の何れか一項に記載の外装カバーにおいて、前記光学窓部材は、不透明部材を備える外装カバーを特徴とする。
【０００９】
請求項１６に記載の発明は、請求項１乃至１５の何れか一項に記載の外装カバーにおいて、前記光学窓部材は、透明なガラス材を備える外装カバーを特徴とする。
請求項１７に記載の発明は、請求項１乃至１５の何れか一項に記載の外装カバーにおいて、前記光学窓部材は、透明な合成樹脂材を備える外装カバーを特徴とする。
請求項１８に記載の発明は、請求項１乃至１７の何れか一項に記載の外装カバーにおいて、前記光学窓部材は、裏面に平面形状を備える外装カバーを特徴とする。
請求項１９に記載の発明は、請求項１乃至１８の何れか一項に記載の外装カバーにおいて、前記光学窓部材は、シート材を備える外装カバーを特徴とする。
請求項２０に記載の発明は、携帯して被写体を撮像する光学機器において、被写体を撮像する撮像レンズユニットを保持する光学機器の本体と、前記光学機器の本体の外側を覆う請求項１乃至１９の何れか一項に記載の前記外装カバーを備える光学機器を特徴とする。
請求項２１に記載の発明は、請求項２０に記載の光学機器において、前記光学機器の本体は、被写体を撮影する撮像装置の本体を備える光学機器を特徴とする。
請求項２２に記載の発明は、請求項２０または２１に記載の光学機器において、前記光学機器の本体は、ストロボ発光部材のプロテクタを本体電池室ユニットに一体的に形成して備える光学機器を特徴とする。
【発明の効果】
【００１０】
本発明によれば、光学窓部材を手で覆い隠すことを防止したり、撮影時のホールド性を確保しても、部品数が増えず小型で外観品位の優れた外装カバー、及びその外装カバーを備える光学機器を提供することが出来る。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施の形態例にかかる外装カバー１０の１種である前カバー１１の基本構成の展開斜視図である。
図２は、本発明の実施の形態例にかかる外装カバー１０を備える光学機器１００の正面図である。
図３は、本発明の実施の形態例にかかる外装カバー１０を備える光学機器１００の斜視図である。
図４は、本発明の実施の形態例にかかる外装カバー１０を備える光学機器１００の前カバー１１を取り外した状態の正面図である。
図５は、本発明の実施の形態例にかかる外装カバー１０を備える光学機器１００の前カバー１１を取り外した状態の斜視図である。
図６は、本発明の実施の形態例にかかる外装カバー１０を備える光学機器１００のプロテクタ２４を本体電池室ユニット１０５側に一体的に形成する基本構成の展開斜視図である。
【００１２】
図１乃至図６において、携帯して被写体を撮像する光学機器の外側を覆う外装カバー１０は、前カバー１１、中間カバー１２と後カバー１３とから構成されている（図２、３参照）。携帯する光学機器の本体の外側の一部を覆う前カバー１１には複数の光学部材２（例えば、ストロボ発光部材２０、ストロボ補助発光部材２１、オートフォーカス部材２２、ファインダ部材２３）の有効光学系範囲を遮断しないように配列した有効光学系範囲配列穴３を備えている。更に、その有効光学系範囲配列穴３に配列する光学部材２の有効光学系範囲を透明部材４０で覆う一体形状の光学窓部材４を備えている。
有効光学系範囲配列穴３に配列する光学部材２の有効光学系範囲は、ストロボ発光部材２０とオートフォーカス部材２２の有効光学系範囲の他に、ストロボ補助発光部材２１やファインダ部材２３の有効光学系範囲も隣接してグリップ部５の上部に配列する。
有効光学系範囲配列穴３は、ストロボ発光部材２０の前面のまわりを覆うプロテクタ２４を配置するプロテクタ配置部３０、ストロボ補助発光部材２１の補助光用窓２５を配置する補助光用窓配置部３１を備えている。そして、オートフォーカス部材２２のオートフォーカス用窓２６を配置するオートフォーカス用窓配置部３２やファインダ部材２３のファインダ用窓２７を配置するファインダ用窓配置部３３も備えている。
従って、コンパクト化して部品数も少なく小型の外装カバー１０、及びその外装カバー１０を備える光学機器１００の撮像装置１１０であるコンパクトカメラ、一眼レフカメラ、電子カメラあるいはビデオカメラ等を提供することが出来る。
【００１３】
ストロボ発光部材２０のプロテクタ２４を配置するプロテクタ配置部３０は、有効光学系範囲配列穴３の撮像レンズユニット配置部６に装填される撮像レンズユニット１０１の光軸からもっとも離れた位置に配置されている。
従って、赤目現象の発生率を大幅に低減する外装カバー１０、及びその外装カバー１０を備える光学機器１００の撮像装置１１０であるコンパクトカメラ、一眼レフカメラ、電子カメラあるいはビデオカメラ等を提供することが出来る。
更に、ストロボ発光部材２０のプロテクタ２４は、有効光学系範囲配列穴３の前面に突出する突出部７を備えている。
従って、有効光学系範囲配列穴３の前面に突出する突出部７によって、光学窓部材４、ストロボ発光部材２０の前面を覆うプロテクタ２４、オートフォーカス部材２２のオートフォーカス用窓２６等を手で覆い隠すことを確実に防止する。
そして、光学機器１００の撮像装置１１０であるコンパクトカメラの撮影時のホールド性を確保しても、部品数も少なく小型で外観品位の優れた外装カバー１０、及びその外装カバー１０を備える光学機器１００を提供することが出来る。
【００１４】
図１に図示するように、光学窓部材４は、ストロボ発光部材２０のプロテクタ２４とオートフォーカス部材２２のオートフォーカス用窓２６の有効光学系範囲を、透明部材４０のガラス材で一体形状で形成されている。
他の実施例として、光学窓部材４は、ストロボ発光部材２０のプロテクタ２４とオートフォーカス部材２２のオートフォーカス用窓２６の有効光学系範囲を、透明部材４０の合成樹脂材で一体形状で安価に形成することも可能である。
光学窓部材４は、裏面を凹凸形状のない平面形状にして複数の部材にすることで、透明部材４０のガラス材または合成樹脂材に印刷による不透明部材４１のマスク部材を形成して、有効光学系範囲以外の外観から不必要な内蔵物を隠すことが可能となる。
更に、光学窓部材４は、材質をシート材にすることで、光学性能を成型品に比べて向上させることが可能となる。特に、オートフォーカス部材２２のオートフォーカス用窓２６の有効光学系範囲に採用することが望ましい。
【００１５】
その他の効果として、金型費用が不要となり、更に、コストダウンが可能となる。
そして、ストロボ発光部材２０のプロテクタ２４は、有効光学系範囲に穴を設けた形となっており、不透明部材４１で形成されている。
カバー部材１の被写体に対向する前カバー１１には、光学窓部材４の取り付け面１４が、ストロボ発光部材２０のプロテクタ２４には、光学窓部材４の取り付け面１５が、それぞれ形成されている。
光学窓部材４は、オートフォーカス用窓２６の部分を、図示する矢印（Ａ）方向の前カバー１１の前面側方向から取り付け可能となっていて接着剤等で固定される。そして、ストロボ発光部材２０のプロテクタ２４の部分は、プロテクタ２４を図示する矢印（Ｂ）方向の前カバー１１の後面側から取り付け可能となっていて接着剤等で固定される。
【００１６】
図３に図示するように、光学機器１００の撮像装置１１０のコンパクトカメラの外装カバー１０は、前カバー１１と中間カバー１２と後カバー１３とから構成されている。その前カバー１１には、有効光学系範囲配列穴３が形成されている。そして、有効光学系範囲配列穴３には、ストロボ発光部材２０の前面を覆うプロテクタ２４、オートフォーカス部材２２のオートフォーカス用窓２６が配列されている。
中間カバー１２には、レリーズボタン１０３と電源ボタン１０４が形成されている。後カバー１３には、図示しないが、その他の操作ボタン等が形成されている。尚、中間カバー１２と後カバー１３は一体化することも可能である。
【００１７】
図４と図５に図示するように、光学機器１００の撮像装置１１０の光学機器の本体１０２の内部には、撮像レンズユニット１０１、本体電池室ユニット１０５、ストロボ発光部材２０、オートフォーカス部材２２等が組み込まれている。ストロボ発光部材２０のプロテクタ２４、オートフォーカス部材２２のオートフォーカス用窓２６等の光学窓を必要とするユニットが、隣接した直線上に並べて配置されている。
図６に図示するように、ストロボ発光部材２０のプロテクタ２４を、本体電池室ユニット１０５側に一体的に形成する。従って、ストロボ発光部材２０とプロテクタ２４は、安定的に確実に保持されて、優れたストロボ発光特性を確保して、小型化することも可能である。
【図面の簡単な説明】
【００１８】
【図１】本発明の実施の形態例にかかる外装カバーである前カバーの基本構成の展開斜視図である。
【図２】本発明の実施の形態例にかかる外装カバーを備える光学機器の正面図である。
【図３】本発明の実施の形態例にかかる外装カバーを備える光学機器の斜視図である。
【図４】本発明の実施の形態例にかかる外装カバーを備える光学機器の前カバーを取り外した状態の正面図である。
【図５】本発明の実施の形態例にかかる外装カバーを備える光学機器の前カバーを取り外した状態の斜視図である。
【図６】本発明の実施の形態例にかかる外装カバーを備える光学機器のプロテクタを本体電池室ユニット側に一体的に形成する基本構成の展開斜視図である。
【図７】従来の外装カバーである前カバーの基本構成の展開斜視図である。
【図８】従来の外装カバーを備えるカメラの外観の正面図である。
【図９】従来の外装カバーを備えるカメラの外観の斜視図である。
【符号の説明】
【００１９】
１  カバー部材、２  光学部材、３  有効光学系配列穴、４  光学窓部材、５  グリップ部、６  撮像レンズユニット配置部、７  突出部、１０  外装カバー、１１  前カバー、１２  中間カバー、１３  後カバー、１４、１５  取り付け面、２０  ストロボ発光部材、２１  ストロボ補助発光部材、２２  オートフォーカス部材、２３  ファインダ部材、２４  プロテクタ、２５  補助光用窓、２６  オートフォーカス用窓、２７  ファインダ用窓、３０  プロテクタ配置部、３１  補助光用窓配置部、３２  オートフォーカス用窓配置部、３３  ファインダ用窓配置部、４０  透明部材、４１  不透明部材、１００  光学機器、１０１  撮像レンズユニット、１０２  光学機器の本体、１０３  レリーズボタン、１０４  電源ボタン、１０５  本体電池室ユニット、１１０  撮像装置、１０００  外装カバー、１０１１  前カバー、１０１２  中間カバー、１０１３  後カバー、１０１４  グリップ部、１０２０  ストロボ発光部材、１０２２  オートフォーカス部材、１０２４  プロテクタ、１０２６  オートフォーカス用窓、１１００  カメラ、１１０１  レンズ、１１０２  本体、１１０３  レリーズボタン、１１０４  電源ボタン、１１０５  レンズ取り付け穴
【図１】
2008233395.tif 000003
【図２】
2008233395.tif 000004
【図３】
2008233395.tif 000005
【図４】
2008233395.tif 000006
【図５】
2008233395.tif 000007
【図６】
2008233395.tif 000008
【図７】
2008233395.tif 000009
【図８】
2008233395.tif 000010
【図９】
2008233395.tif 000011